(57)【要約】【課題】水底に存在する段差部を乗り越える際に転倒を抑制しうる釣り用ジグヘッドを提供する。【解決手段】ジグヘッド1Aはシンカー２とフック10とライン接続部20を備える。シンカー２はフック10のシャンク部11の基端部に固定されている。シンカー２が水底50に着地し且つフック10のティップ部13がフック10のシャンク部11よりも上側に配置された状態を、ジグヘッド1Aの着地姿勢とする。シンカー２は、ジグヘッド1Aが着地姿勢のときに水底50に接地する接地面３と、接地面３よりも前側に形成されるとともに斜め上向きに傾斜乃至湾曲した案内斜面４とを備える。案内斜面４は、シンカー２がライン40により前方へ引っ張られて水底50に存在する段差部を乗り越える時にシンカー２を段差部の上側へ案内するものである。ライン接続部20は案内斜面４の内側領域に設けられている。【選択図】図１
2020115795.tif 000002
【特許請求の範囲】
【請求項１】
シンカーと、シャンク部及びティップ部を有するフックと、ラインが接続されるライン接続部とを備えた釣り用ジグヘッドであって、
前記シンカーは、前記フックの前記シャンク部の基端部に固定されており、
前記シンカーが水底に着地し且つ前記フックの前記ティップ部が前記シャンク部よりも上側に配置された状態を、ジグヘッドの着地姿勢とするとき、
前記シンカーは、ジグヘッドが着地姿勢のときに前記水底に接地する接地面と、前記接地面よりも前側に形成されるとともに斜め上向きに傾斜乃至湾曲した案内斜面とを備え、
前記案内斜面は、ジグヘッドが着地姿勢のときの前記シンカーが前記ラインにより前方へ引っ張られて前記水底に存在する段差部を乗り越える時に前記シンカーを前記段差部の上側へ案内するものであり、
前記ライン接続部が前記シンカーの前記案内斜面の内側領域に設けられている釣り用ジグヘッド。
【請求項２】
前記ラインが挿通されるライン挿通孔を有するリング状ラインアイを前記ライン接続部として備えるとともに、
前記ラインアイの前記ライン挿通孔が上下方向に向いている請求項１記載の釣り用ジグヘッド。
【請求項３】
前記ラインが挿通されるライン挿通孔を有するリング状ラインアイを前記ライン接続部として備えるとともに、
前記ラインアイの前記ライン挿通孔が左右方向に向いている請求項１記載の釣り用ジグヘッド。
【請求項４】
前記ラインアイの少なくとも後部側が前記シンカー中に埋まった状態に前記ラインアイが前記案内斜面の内側領域に設けられている請求項２又は３記載の釣り用ジグヘッド。
【請求項５】
前記案内斜面の内側領域における前記ラインアイが設けられた部分に、前記ライン挿通孔に前記ラインを挿通するためのライン挿通溝が形成されている請求項４記載の釣り用ジグヘッド。
【発明の詳細な説明】
【技術分野】
【０００１】
本発明は釣り用ジグヘッドに関する。
【０００２】
なお本明細書及び特許請求の範囲では、図１において右側、左側、上側及び下側をそれぞれ本発明に係るジグヘッドの前側、後側、上側及び下側と定義する。したがって、同図の紙面に垂直な両側がジグヘッドの左右両側である。
【背景技術】
【０００３】
図６に示すように、従来の釣り用ジグヘッド１０１は、シンカー１０２、フック１１０、ラインアイ１２１などを備えている（例えば特許文献１、２参照）。
【０００４】
シンカー１０２は、フック１１０のシャンク部１１１の基端部１１１ａに当該基端部１１１ａをシンカー１０２中に埋設した状態に固定されている。シンカー１０２には例えばブラシガード（図示せず）が取り付けられ、またシンカー１０２のテール部１０６にはジグヘッド１０１を餌に似せるため又は集魚のための部材として例えばスカート（図示せず）が取り付けられる。
【０００５】
ラインアイ１２１はライン１４０が接続されるリング状の部材であり、ライン１４０が挿通されるライン挿通孔１２２を有している。このラインアイ１２１はシンカー１０２の上面の前端部に設けられており、そのライン挿通孔１２２は左右方向（同図の紙面に垂直な方向）に向いている。ライン１４０はこのライン挿通孔１２２に挿通された状態でラインアイ１２１に結着（接続）される。
【０００６】
同図に示すように、水中へキャストされたジグヘッド１０１のシンカー１０２が水底１５０に着地し且つフック１１０のティップ部１１３がシャンク部１１１よりも上側に配置された状態（姿勢）を説明の便宜上、ジグヘッド１０１の着地姿勢と定義する。ジグヘッド１０１が着地姿勢のとき、フック１１０のティップ部１１３がシャンク部１１１よりも上側に配置されているので、フック１１０のティップ部１１３が魚にフッキングし易い。そのため、ジグヘッド１Ａは通常この着地姿勢で使用される。
【先行技術文献】
【特許文献】
【０００７】
【特許文献１】特開平１１−２８９９２２号公報
【特許文献２】特許第４７７８４５４号公報
【発明の概要】
【発明が解決しようとする課題】
【０００８】
ジグヘッド１０１が着地姿勢のときに釣り人がライン１４０を巻き取ると、シンカー１０２はライン１４０により前方へ引っ張られる。すると、ジグヘッド１０１が着地姿勢のままでシンカー１０２が水底１５０上を引きずられるように前方へ移動する。このとき、同図に示すように、水底１５０におけるジグヘッド１０１（シンカー１０２）の前方に障害物（例：岩）１５２などからなる段差部１５１が存在している場合、水底１５０上を移動しているシンカー１０２は段差部１５１を乗り越えようとする。
【０００９】
しかしながら、ラインアイ１２１がシンカー１０２の上面の前端部に設けられているので、シンカー１０２が段差部１５１を乗り越える時にジグヘッド１０１の姿勢が不安定になり、その結果、フック１１０のティップ部１１３がシャンク部１１１よりも下側になるようにジグヘッド１０１が左側又は右側に転倒することが多かった。このようにジグヘッド１０１が転倒すると、フック１１０のティップ部１１３が段差部１５１に引っ掛かり、そのため、段差部１５１からフック１１０を外すのに手間を要したりライン１４０が切れてジグヘッド１０１が失われたりする。
【００１０】
本発明は、上述した技術背景に鑑みてなされたもので、その目的は、水底に存在する段差部を乗り越える際に転倒を抑制しうる釣り用ジグヘッドを提供することにある。
【課題を解決するための手段】
【００１１】
本発明は以下の手段を提供する。
【００１２】
１）  シンカーと、シャンク部及びティップ部を有するフックと、ラインが接続されるライン接続部とを備えた釣り用ジグヘッドであって、
前記シンカーは、前記フックの前記シャンク部の基端部に固定されており、
前記シンカーが水底に着地し且つ前記フックの前記ティップ部が前記シャンク部よりも上側に配置された状態を、ジグヘッドの着地姿勢とするとき、
前記シンカーは、ジグヘッドが着地姿勢のときに前記水底に接地する接地面と、前記接地面よりも前側に形成されるとともに斜め上向きに傾斜乃至湾曲した案内斜面とを備え、
前記案内斜面は、ジグヘッドが着地姿勢のときの前記シンカーが前記ラインにより前方へ引っ張られて前記水底に存在する段差部を乗り越える時に前記シンカーを前記段差部の上側へ案内するものであり、
前記ライン接続部が前記シンカーの前記案内斜面の内側領域に設けられている釣り用ジグヘッド。
【００１３】
２）  前記ラインが挿通されるライン挿通孔を有するリング状ラインアイを前記ライン接続部として備えるとともに、
前記ラインアイの前記ライン挿通孔が上下方向に向いている前項１記載の釣り用ジグヘッド。
【００１４】
３）  前記ラインが挿通されるライン挿通孔を有するリング状ラインアイを前記ライン接続部として備えるとともに、
前記ラインアイの前記ライン挿通孔が左右方向に向いている前項１記載の釣り用ジグヘッド。
【００１５】
４）  前記ラインアイの少なくとも後部側が前記シンカー中に埋まった状態に前記ラインアイが前記案内斜面の内側領域に設けられている前項２又は３記載の釣り用ジグヘッド。
【００１６】
５）  前記案内斜面の内側領域における前記ラインアイが設けられた部分に、前記ライン挿通孔に前記ラインを挿通するためのライン挿通溝が形成されている前項４記載の釣り用ジグヘッド。
【発明の効果】
【００１７】
本発明は以下の効果を奏する。
【００１８】
前項１では、ジグヘッドのライン接続部がシンカーの案内斜面の内側領域に設けられていることにより、シンカーが段差部を乗り越える際に段差部の上角縁部にシンカーの案内斜面の内側領域におけるライン接続部の左右両側の部分が当接する。これにより、ジグヘッドの姿勢が安定し、ジグヘッドの転倒が抑制される。そのため、ジグヘッドのフックのティップ部が段差部に引っ掛かりにくくすることができる。
【００１９】
前項２〜４では、シンカーが段差部を乗り越える際にジグヘッドの転倒が確実に抑制される。
【００２０】
前項５では、ラインをラインアイに結着（接続）する際にラインをライン挿通溝に沿ってライン挿通孔に挿通することができる。そのため、ラインの結着作業（接続作業）を容易に行うことができる。
【図面の簡単な説明】
【００２１】
【図１】図１は、本発明の第１実施形態に係る釣り用ジグヘッドを着地姿勢の状態で示す側面図である。
【図２】図２は、同ジグヘッドを斜め上側から見た斜視図である。
【図３】図３は、同ジグヘッドを斜め下側から見た斜視図である。
【図４Ａ】図４Ａは、同ジグヘッドが水底に存在する段差部を乗り越える直前の状態を示す側面図である。
【図４Ｂ】図４Ｂは、同ジグヘッドが段差部を乗り越える途中の状態を示す側面図である。
【図４Ｃ】図４Ｃは、同ジグヘッドが段差部を乗り越えた後の状態を示す側面図である。
【図５】図５は、本発明の第２実施形態に係る釣り用ジグヘッドを斜め下側から見た斜視図である。
【図６】図６は、従来の釣り用ジグヘッドが水底に存在する段差部を乗り越える前の状態を示す側面図である。
【発明を実施するための形態】
【００２２】
次に、本発明の幾つかの実施形態について図面を参照して以下に説明する。
【００２３】
図１〜３に示すように、本発明の第１実施形態に係る釣り用ジグヘッド１Ａは、釣り対象物として例えば魚を釣るために用いられるものであり、フック１０、シンカー２などを備えている。符号４０は釣り用ラインである。
【００２４】
フック１０は金属製であり、シャンク部１１、ベンド部１２、ティップ部１３などを有する略Ｊ字状のものである。
【００２５】
シンカー２は鉛、タングステン、真鍮等の金属製である。シンカー２の形状は概ね偏平な球状であってシンカー２の前部がやや反り上がっている。
【００２６】
さらに、シンカー２はフック１０のシャンク部１１の基端部１１ａにインサート成形されたものであり、シャンク部１１の基端部１１ａをシンカー２中に埋設した状態にシンカー２がシャンク部１１の基端部１１ａに固定されている。シンカー２の後端部にはテール部６がシャンク部１１に沿って突出状に一体に形成されている。
【００２７】
なお本発明では、シンカー２は金属製であることに限定されるものではなく、その他に例えば樹脂製であってもよい。特に、シンカー２の材料はフック１０のシャンク部１１の基端部１１ａにシンカー２をインサート成形可能な金属又は樹脂であることが望ましい。また、シンカー２の材料は、射出により又は金型内への流し込みによりシンカー２を成形可能な金属又は樹脂であってもよい。
【００２８】
図１に示すように、シンカー２のテール部６にはジグヘッド１Ａを餌に似せるため又は集魚のための部材が取外し可能に取り付けられる。本第１実施形態では、この部材として柔軟な材料(例：シリコーン）製のスカート３１が用いられている。なお本発明では、この部材はスカート３１であることに限定されるものではないし、シンカー２に取り付けられていなくてもよい。
【００２９】
シンカー２の上面にはガード３０が上斜め後方に突出状に設けられる。このガード３０は、水中の障害物や浮遊物にフック１０が引っかかりにくくしたりフック１０にフッキングした魚がフック１０から外れにくくしたりすることを目的とするものである。本第１実施形態では、ガード３０は、複数の樹脂製フィラメントが一つに束ねられて形成されたいわゆるブラシガードと呼ばれるものであり、シンカー２の上面に設けられた凹部７にガード３０の下端部が挿入された状態で接着剤などによりシンカー２に固定状態に取り付けられる。なお本発明では、ガード３０はシンカー２に取り付けられていなくてもよい。
【００３０】
図２及び３に示したジグヘッド１Ａのシンカー２にはスカート３１及びガード３０は取り付けられていない。
【００３１】
さらに、シンカー２の下部は、図１に示すように水底５０に着地したときに水底５０に接地する接地面３と、接地面３よりも前側に形成されるとともに斜め上向きに傾斜乃至湾曲した案内斜面４とを備えている。図３において、シンカー２の接地面３は一点鎖線で囲まれた部分であり、案内斜面４は二点鎖線で囲まれた部分である。
【００３２】
本第１実施形態では、図１に示すようにシンカー２（ジグヘッド１Ａ）の側面視において、シンカー２の接地面３は緩やかに湾曲しており、シンカー２の案内斜面４は斜め上向きに湾曲している。さらに、接地面３と案内斜面４は互いに滑らかに連接している。したがって、接地面３と案内斜面４との境界部に角部は形成されていない。
【００３３】
なお本発明では、シンカー２の案内斜面４は斜め上向きに湾曲しているものに限定されるものではなく、その他に斜め上向きに傾斜しているものであってもよい。
【００３４】
ここで、図１に示すように、水中にキャストされたジグヘッド１Ａのシンカー２が水底５０に着地し且つフック１０のティップ部１３がシャンク部１１よりも上側に配置された状態（姿勢）を説明の便宜上、ジグヘッド１Ａの着地姿勢と定義する。ジグヘッド１Ａが着地姿勢のとき、フック１０のティップ部１３がシャンク部１１よりも上側に配置されているので、フック１０のティップ部１３が魚にフッキングし易い。そのため、ジグヘッド１Ａは通常この着地姿勢で使用される。
【００３５】
シンカー２の案内斜面４の内側領域（すなわち図３において二線鎖線で囲まれた領域）にはライン４０が接続されるライン接続部２０としてのラインアイ２１がシンカー２に固定された状態に設けられている。案内斜面４の内側領域におけるラインアイ２１が設けられた部分は、詳述すると、シンカー２の案内斜面４の内側領域における案内斜面４の前端よりも中央寄りの部分である。
【００３６】
ラインアイ２１の形状は円リング状であり、ラインアイ２１はライン４０が挿通されるライン挿通孔２２（図１参照）を有している。
【００３７】
ラインアイ２１は、フック１０のシャンク部１１の基端部１１ａにシンカー２がインサート成形される前にフック１０のシャンク部１１の基端に一体に形成されていたものであってもよいし、あるいはフック１０とは別体のものであってシンカー２のインサート成形時にシンカー２に固定された状態に設けられたものであってもよい。
【００３８】
さらに、ラインアイ２１は、ラインアイ２１の少なくとも後部側（詳述するとラインアイ２１の少なくとも後半部）、本第１実施形態ではラインアイ２１の前端部よりも後側の部分がシンカー２中に埋まった状態にシンカー２の案内斜面４の内側領域に設けられている。そのため、案内斜面４にはラインアイ２１の前端部だけが案内斜面４に対して前方に僅かにはみ出た状態に露出している。ラインアイ２１のライン挿通孔２２は上下方向に向いている。
【００３９】
さらに、シンカー２の案内斜面４の内側領域におけるラインアイ２１が設けられた部分には、ライン挿通孔２２にライン４０を挿通するためのライン挿通溝５が形成されている（図１及び３参照）。ライン挿通溝５はライン挿通孔２２を通過した状態に上下方向に延びており、ライン挿通溝５の両端は案内斜面４の内側領域に開口している。
【００４０】
ライン４０は、ラインアイ２１のライン挿通孔２２にライン挿通溝５に沿って挿通された状態でラインアイ２１に結着（接続）されている。
【００４１】
次に、本第１実施形態のジグヘッド１Ａが水底５０に存在する段差部５１を乗り越える場合におけるジグヘッド１Ａの動作について、図４Ａ〜４Ｃを参照して以下に説明する。
【００４２】
これらの図において、段差部５１は例えば水底５０上に存在する岩などの障害物５２からなる。また、これらの図に示したジグヘッド１Ａのシンカー２にはスカート３１及びガード３０（図１参照）は取り付けられていない。
【００４３】
水中へキャストされたジグヘッド１Ａが沈降して水底５０に対して着地姿勢であるとき、図４Ａ中に仮想線（二点鎖線）で示すように、ジグヘッド１Ａのシンカー２の接地面３が水底５０に接地し且つフック１０のティップ部１３がシャンク部１１よりも上側に配置されている。水底５０におけるジグヘッド１Ａの前方には段差部５１が存在している。
【００４４】
ジグヘッド１Ａが着地姿勢のときに釣り人がライン４０を巻き取ると、ジグヘッド１Ａのシンカー２がライン４０により前方へ引っ張られる。図４Ａ中の矢印Ｐはライン４０によるシンカー２の引張方向を示している。
【００４５】
すると、ジグヘッド１Ａが着地姿勢のままでシンカー２が水底５０上を引きずられるように前方へ移動し、そしてシンカー２が段差部５１を乗り越えようとする。このとき、シンカー２の案内斜面４の内側領域にラインアイ２１が設けられていることから、図４Ａ中に実線で示すように、段差部５１の上角縁部５１ａにジグヘッド１Ａのシンカー２の案内斜面４の内側領域におけるラインアイ２１の左右両側の部分４ａ、４ａ（図３参照）が当接する。
【００４６】
そして、図４Ｂに示すように、シンカー２がこの当接状態のままで、その案内斜面４が段差部５１の上角縁部５１ａ上を摺動しながら案内斜面４によって段差部５１の上側へ案内されて移動する。
【００４７】
そして、図４Ｃに示すように、シンカー２が段差部５１を乗り越えたとき、シンカー２の接地面３が段差部５１の上面５１ｂに接地する。このとき、ジグヘッド１Ａは着地姿勢である。
【００４８】
このように、ジグヘッド１Ａのシンカー２が段差部５１を乗り越える際には段差部５１の上角縁部５１ａにシンカー２の案内斜面４の内側領域におけるラインアイ２１の左右両側の部分４ａ、４ａが当接するので、ジグヘッド１Ａの姿勢が安定し、ジグヘッド１Ａの転倒が抑制される。そのため、ジグヘッド１Ａのフック１０のティップ部１３が段差部５１に引っ掛かりにくくすることができる。
【００４９】
さらに、ラインアイ２１の少なくとも後部側、本第１実施形態ではラインアイ２１の前端部よりも後側の部分がシンカー２中に埋まった状態にラインアイ２１が案内斜面４の内側領域に設けられているので、シンカー２が段差部５１を乗り越える際にジグヘッド１Ａの転倒を更に確実に抑制できる。
【００５０】
しかも、案内斜面４の内側領域におけるラインアイ２１が設けられた部分にライン挿通溝５が形成されているので、ライン４０をラインアイ２１に結着（接続）する際にライン４０をライン挿通溝５に沿ってライン挿通孔２２に挿通することができる。そのため、ライン４０の結着作業（接続作業）を容易に行うことができる。
【００５１】
図５は、本発明の第２実施形態に係る釣り用ジグヘッド１Ｂを説明する図である。同図において、上記第１実施形態のジグヘッド１Ａと同じ作用を奏する要素には同じ符号が付されている。以下では、本第２実施形態のジグヘッド１Ｂについて上記第１実施形態のジグヘッド１Ａとの相異点を中心に説明する。
【００５２】
本第２実施形態のジグヘッド１Ｂでは、ラインアイ２１はそのライン挿通孔（図１参照、符号２２）が左右方向に向いた状態にシンカー２の案内斜面４の内側領域に設けられている。
【００５３】
さらに、ライン挿通溝５はライン挿通孔を通過した状態に左右方向に延びており、ライン挿通溝５の両端は案内斜面４の内側領域に開口している。
【００５４】
本第２実施形態のジグヘッド１Ｂのその他の構成は上記第１実施形態のジグヘッド１Ａと同じである。
【００５５】
以上で本発明の幾つかの実施形態について説明したが、本発明は上記実施形態に限定されるものではなく、本発明の要旨を逸脱しない範囲で様々に変更可能である。
【００５６】
例えば、本発明に係るジグヘッドのシンカーの形状は、図に示した形状であることに限定されるものではなく、その他に米俵形、紡錘形などであってもよいし、魚の頭部を模した形状であってもよいし、更に、平面視で円形、矢尻形、菱形などであってもよい。
【産業上の利用可能性】
【００５７】
本発明は釣り用ジグヘッドに利用可能である。
【符号の説明】
【００５８】
１Ａ、１Ｂ：ジグヘッド
２：シンカー
３：接地面
４：案内斜面
５：ライン挿通溝
１０：フック
１１：シャンク部
１３：ティップ部
２０：ライン接続部
２１：ラインアイ
２２：ライン挿通孔
４０：ライン
５０：水底
５１：段差部
【図１】
2020115795.tif 000003
【図２】
2020115795.tif 000004
【図３】
2020115795.tif 000005
【図４Ａ】
2020115795.tif 000006
【図４Ｂ】
2020115795.tif 000007
【図４Ｃ】
2020115795.tif 000008
【図５】
2020115795.tif 000009
【図６】
2020115795.tif 000010